(57)【要約】【課題】  充電端子の交換作業を簡単化し、しかもそのための構成を安価に済ませる。【解決手段】  コイルばね部材からなる着脱充電端子８は、第１の接触端子部８ａ、第２の接触端子部８ｂ、それらの中間のつる巻き部８ｃを有する。この着脱充電端子８は、本体ケース６に設けられた端子収容部１７内に着脱可能に収容され蓋部材１８により保持される。このとき、第１の接触端子部８ａがサブ基板１９の固定充電端子１５に弾性的に接触し、第２の接触端子部８ｂが、スリット１８ａから前方に突出して受電端子に接触可能な状態となる。蓋部材１８の取外し状態で、着脱充電端子８を容易に取出して交換することができる。制御装置は、充電回数をカウントし、カウント数が所定回数（１万回）に達したときに、着脱充電端子８の交換時期である旨を報知する。【選択図】  図１
2006345670.tif 000002
【特許請求の範囲】
【請求項１】
本体ケースに、内蔵電池を有する携帯端末機が着脱自在に載置される載置凹部を備え、その載置状態で、該携帯端末機の受電端子に対し充電電力を供給して充電を行う充電器であって、
前記本体ケース内に固定的に設けられ充電電力を供給する固定充電端子と、
前記本体ケースに設けられた端子収容部内に収容保持された状態で、前記固定充電端子に弾性的に接触する第１の接触端子部及び前記受電端子に弾性的に接触して充電電力を該受電端子に伝達可能な第２の接触端子部を有する着脱充電端子と、
前記本体ケースの前記端子収容部部分に着脱可能に取付けられ、該本体ケースへ取付けられた状態で前記着脱充電端子を該端子収容部内に保持し、該本体ケースから取外された状態で該着脱充電端子を該端子収容部から取外し可能とする端子保持部材とを具備することを特徴とする充電器。
【請求項２】
前記着脱充電端子は、前記第１の接触端子部と第２の接触端子部との間に、該第２の接触端子部よりも幅の広い拡幅部を有して構成され、前記端子保持部材は、前記拡幅部を係止することによって前記着脱充電端子を前記端子収容部内に保持することを特徴とする請求項１記載の充電器。
【請求項３】
前記着脱充電端子は、金属線材に曲げ加工を施し、前記拡幅部としてのつる巻き部を有するねじりコイルばね部材から構成されていることを特徴とする請求項２記載の充電器。
【請求項４】
前記着脱充電端子は、金属板を打抜くと共に曲げ加工を施した板ばね部材から構成されていることを特徴とする請求項２記載の充電器。
【請求項５】
前記端子収容部は、前記本体ケースの載置凹部の内壁面から更に凹状に形成されその底部に前記固定充電端子が配置された収容凹部からなると共に、前記端子保持部材は、前記収容凹部の開口部を着脱可能に塞ぐ板状の蓋部材として構成され、
前記着脱充電端子は、その拡幅部が前記蓋部材の裏面側において抜出し不能に保持され、前記第１の接触端子部が、前記固定充電端子に接触すると共に、前記第２の接触端子部が、該蓋部材に形成された間隙部を通して前記載置凹部内に突出配置されるように構成されていることを特徴とする請求項２ないし４のいずれかに記載の充電器。
【請求項６】
前記端子収容部は、前記本体ケースの載置凹部の内壁面から更に凹状に形成されその底部に前記固定充電端子が配置された嵌合凹部からなると共に、前記端子保持部材は、前記嵌合凹部内に着脱可能に嵌合する箱状の端子ケースとして構成され、
前記着脱充電端子は、前記端子ケース内に着脱可能に収容されると共に、該端子ケースの前記嵌合凹部内への嵌合によって、その拡幅部が該端子ケース内に抜出し不能に保持され、前記第１の接触端子部が、該端子ケースの後面に形成された第１の間隙部を通して前記固定充電端子に接触すると共に、前記第２の接触端子部が、該端子ケースの前面に形成された第２の間隙部を通して前記載置凹部内に突出配置されるように構成されていることを特徴とする請求項２ないし４のいずれかに記載の充電器。
【請求項７】
前記端子ケースは、結合及び分離可能に構成された２つの分割ケースから構成され、それらの分離状態で、前記着脱充電端子の収容及び取出しが行われるように構成されていることを特徴とする請求項６記載の充電器。
【請求項８】
前記端子ケースは、少なくとも一つの側面部に、前記着脱充電端子を出し入れするための開口部を有して構成されていることを特徴とする請求項６記載の充電器。
【請求項９】
本体ケースに、内蔵電池を有する携帯端末機が着脱自在に載置される載置凹部を備えると共に、その載置状態で、該携帯端末機の受電端子に対し接触して充電電力を供給する充電端子を備える充電器であって、
前記充電端子は、先端が開口した筒状の金属製のホルダと、このホルダ内に出没方向に移動可能に収容された接触端子部と、この接触端子部を前記ホルダの先端開口部から突出させる状態に付勢するばねとを備えた着脱充電端子から構成されると共に、
前記本体ケースに対して、前記ホルダが該本体ケースに形成された穴部を通して挿入、抜出し可能に保持されるように構成されていることを特徴とする充電器。
【請求項１０】
前記載置凹部に携帯端末機が載置されたことを検出する載置検出手段と、
この載置検出手段の検出に基づいて前記携帯端末機の載置回数をカウントする載置回数カウント手段と、
この載置回数カウント手段のカウント数が所定回数に達したときにその旨を報知する報知手段とを具備することを特徴とする請求項１ないし９のいずれかに記載の充電器。
【請求項１１】
前記報知手段は、前記携帯端末機或いは外部のホスト装置に対し、カウント数が所定回数に達した旨を通信により通知する機能を含んで構成されていることを特徴とする請求項１０記載の充電器。
【請求項１２】
前記載置検出手段は、光センサを備えて構成されていることを特徴とする請求項１０又は１１記載の充電器。
【請求項１３】
前記載置検出手段及び載置回数カウント手段は、前記携帯端末機に対して実行した充電回数をカウントすることをもって、載置回数のカウントとすることを特徴とする請求項１０又は１１記載の充電器。
【請求項１４】
前記充電回数のカウントは、電流検知回路の検知に基づいて行われるように構成されていることを特徴とする請求項１３記載の充電器。
【請求項１５】
前記所定回数をユーザが自在に設定するための設定手段を備えることを特徴とする請求項１０ないし１４のいずれかに記載の充電器。
【発明の詳細な説明】
【技術分野】
【０００１】
本発明は、本体ケースに、内蔵電池を有する携帯端末機が着脱自在に載置される載置凹部を備え、その載置状態で、該携帯端末機の受電端子に対し充電電力を供給して充電を行う充電器に関する。
【背景技術】
【０００２】
内蔵電池（二次電池）を有する携帯端末機、例えばハンディタイプのバーコードリーダ（バーコードハンディターミナル）は、非使用時に定置しておく置き台を兼用する充電器により充電されて使用される。一般に、この種の充電器は、本体ケースに、バーコードリーダが着脱自在に載置される載置凹部を備えて構成されると共に、その載置凹部の内壁部に位置して、載置されたバーコードリーダの受電端子に接触して充電電力を供給するための充電端子を備えて構成されている。
【０００３】
ところで、この種の充電器の充電端子は、安定した電気的接触状態を得るために、表面に例えば金メッキ等が施されているが、使用（バーコードリーダの載置及び取外し）が繰返えされることに伴い、磨耗が進行して金メッキがとれていき、接点不良を招いてしまう事情がある。従って、接点不良が生ずる前の適宜の時期に、充電端子の交換等が行われることが望ましい。
【０００４】
ところが、従来の充電器にあっては、内部の充電回路が実装された基板に対して充電端子が半田付け等により固定的に取付けられており、また、充電端子の取外し作業は本体ケースを分解して行わなければならない構造となっていた。このため、充電端子の交換作業はかなり面倒なものとなっており、ユーザが簡易に充電端子を取外して交換するといったことができず、専用のサービスマンが定期的に充電端子の交換作業を行うといったことが行われており、メンテナンスにコストがかかる問題点があった。
【０００５】
これに対し、例えばビデオカメラ用のバッテリパックを充電するための充電器にあっては、充電端子を含んだ端子ユニットを充電器本体に対して交換可能に取付ける構造とし、複数種類の端子ユニットを用意しておきそれらを選択的に取付けることによって、種類（受電端子の位置など）の異なるバッテリパックに対して充電器を共用化することが考えられている（例えば特許文献１参照）。この特許文献１の構造であれば、充電端子が劣化した場合に、端子ユニットを新しいものに交換すれば良いので、ユーザにおいて比較的容易に充電端子を交換することが可能となる。
【特許文献１】特開平７−３３５２６８号公報
【発明の開示】
【発明が解決しようとする課題】
【０００６】
しかしながら、上記した特許文献１の構造では、端子ユニットが、充電器本体との間の電気的接続のためのコネクタ、及び、これに電気的に接続された充電端子を絶縁物（ケース）に一体的に組込んだ形態に構成されているので、充電端子が劣化した際に端子ユニット全体を新しいものに交換すると、交換の必要がある充電端子だけでなくそれ以外の部分も一緒に交換されてしまうことになり、コスト面での無駄を招く不具合がある。
【０００７】
尚、従来の充電器では、ユーザが、充電端子の劣化度合いを知ることが難しく、充電端子の交換時期を判断することができなかったため、結局、接点不良が発生してしまってから、充電端子を交換することが多くなっていた。
【０００８】
本発明は上記事情に鑑みてなされたもので、その主たる目的は、充電端子の交換を簡易に行うことができ、しかもそのための構成を安価に済ませることができる充電器を提供するにある。また、本発明の副次的な目的は、ユーザが充電端子の劣化に伴う交換時期を容易に知ることができる充電器を提供するにある。
【課題を解決するための手段】
【０００９】
上記目的を達成するために、本発明の請求項１の充電器は、本体ケース内に固定的に設けられ充電電力を供給する固定充電端子と、本体ケースに設けられた端子収容部内に収容保持された状態で、前記固定充電端子に弾性的に接触する第１の接触端子部、及び、携帯端末機の受電端子に弾性的に接触して充電電力を該受電端子に伝達可能な第２の接触端子部を有する着脱充電端子と、前記本体ケースの端子収容部部分に着脱可能に取付けられ、該本体ケースへ取付けられた状態で前記着脱充電端子を該端子収容部内に保持し、該本体ケースから取外された状態で該着脱充電端子を該端子収容部から取外し可能とする端子保持部材とを具備する構成に特徴を有する。
【００１０】
この構成においては、端子保持部材を本体ケースの端子収容部部分に取付けた状態で、着脱充電端子が端子収容部内に収容保持される。この状態では、着脱充電端子の第１の接触端子部が固定充電端子に弾性的に接触すると共に、第２の接触端子部が携帯端末機の受電端子に弾性的に接触することにより、充電電力を受電端子に伝達することができる。これに対し、端子保持部材を本体ケースから取外すと、着脱充電端子が端子収容部から取外し可能となる。
【００１１】
ここで、着脱充電端子の第２の接触端子部は、使用（携帯端末機の載置及び取外し）が繰返えされることに伴い、受電端子との間での磨耗により劣化する事情があるが、ユーザは、端子保持部材を本体ケースから取外すことにより、着脱充電端子を端子収容部から容易に取外して交換することができる。そして、端子保持部材を本体ケースに取付けることにより、再び着脱充電端子が保持され、充電器としての使用が可能となる。従って、請求項１の発明によれば、充電端子の交換を簡易に行うことができ、しかも、着脱充電端子のみを交換すれば良いので、安価に済ませることができる。
【００１２】
このとき、上記着脱充電端子を、前記第１の接触端子部と第２の接触端子部との間に、該第２の接触端子部よりも幅の広い拡幅部を設けて構成し、前記端子保持部材を、前記拡幅部を係止することによって着脱充電端子を前記端子収容部内に保持するように構成することができる（請求項２の発明）。これにより、端子保持部材が、着脱充電端子の拡幅部を係止することによって、着脱充電端子の保持が可能となり、端子保持部材及び着脱充電端子の構成を簡単に済ませることができる。
【００１３】
具体的には、着脱充電端子を、金属線材に曲げ加工を施すことによって、拡幅部としてのつる巻き部を有するねじりコイルばね部材から構成することができる（請求項３の発明）。あるいは、着脱充電端子を、金属板を打抜くと共に曲げ加工を施した板ばね部材から構成することができる（請求項４の発明）。これらによれば、着脱充電端子自身のばね力を利用して、第１の接触端子部及び第２の接触端子部を、夫々固定充電端子及び受電端子に弾性的に接触させることが可能となり、着脱充電端子を、より簡単な構成で安価に済ませることができる。
【００１４】
更に具体的には、端子収容部を、本体ケースの載置凹部の内壁面から更に凹状に形成されその底部に固定充電端子が配置された収容凹部から構成すると共に、端子保持部材を、前記収容凹部の開口部を着脱可能に塞ぐ板状の蓋部材として構成し、着脱充電端子を、その拡幅部が前記蓋部材の裏面側において抜出し不能に保持され、前記第１の接触端子部が、前記固定充電端子に接触すると共に、前記第２の接触端子部が、該蓋部材に形成された間隙部を通して前記載置凹部内に突出配置されるように構成することができる（請求項５の発明）。これによれば、端子収容部及び端子保持部材の構成を簡単に済ませることができると共に、ユーザによる着脱充電端子の交換作業も簡単となる。
【００１５】
あるいは、端子収容部を、本体ケースの載置凹部の内壁面から更に凹状に形成されその底部に固定充電端子が配置された嵌合凹部から構成すると共に、端子保持部材を、嵌合凹部内に着脱可能に嵌合する箱状の端子ケースとして構成し、着脱充電端子を、前記端子ケース内に着脱可能に収容されると共に、該端子ケースの前記嵌合凹部内への嵌合によって、その拡幅部が該端子ケース内に抜出し不能に保持され、前記第１の接触端子部が、該端子ケースの後面に形成された第１の間隙部を通して前記固定充電端子に接触すると共に、前記第２の接触端子部が、該端子ケースの前面に形成された第２の間隙部を通して前記載置凹部内に突出配置されるように構成することができる（請求項６の発明）。これによれば、端子収容部及び端子保持部材の構成を簡単に済ませることができると共に、端子ケースを取外した状態で着脱充電端子の交換を行えばよいので、ユーザによる着脱充電端子の交換作業がより一層簡単となる。
【００１６】
またこのとき、端子ケースを、結合及び分離可能に構成された２つの分割ケースから構成し、それらの分離状態で、着脱充電端子の収容及び取出しが行われるように構成すれば（請求項７の発明）、端子ケースを分離した状態で着脱充電端子の交換を行うことができる。あるいは、端子ケースを、少なくとも一つの側面部に、着脱充電端子を出し入れするための開口部を設けて構成すれば（請求項８の発明）、ユーザは開口部を通して着脱充電端子の交換をより簡単に行うことがでる。
【００１７】
本発明の請求項９の充電器は、携帯端末機の受電端子に対し接触して充電電力を供給する充電端子を、先端が開口した筒状の金属製のホルダと、このホルダ内に出没方向に移動可能に収容された接触端子部と、この接触端子部を前記ホルダの先端開口部から突出させる状態に付勢するばねとを備えた着脱充電端子から構成すると共に、本体ケースに対して、前記ホルダが該本体ケースに形成された穴部を通して挿入、抜出し可能に保持されるようにした構成に特徴を有する。
【００１８】
上記構成によれば、着脱充電端子を、本体ケースの穴部に対する挿入、抜出しを行うことにより、本体ケースに対し容易に着脱することができ、ユーザがその交換を簡易に行うことができる、しかも着脱充電端子のみを交換することができるので、安価に済ませることができる。
【００１９】
そして、上記した本発明の充電器においては、載置凹部に携帯端末機が載置されたことを検出する載置検出手段と、この載置検出手段の検出に基づいて前記携帯端末機の載置回数をカウントする載置回数カウント手段と、この載置回数カウント手段のカウント数が所定回数に達したときにその旨を報知する報知手段とを設けることができる（請求項１０の発明）。これによれば、載置検出手段及び載置回数カウント手段により、携帯端末機の載置凹部に対する載置回数ひいては、着脱充電端子の受電端子に対する接触（摺接）回数を検出することができる。この場合、着脱充電端子の劣化度合いは、受電端子との接触（摺接）回数にほぼ比例するので、所定回数を適宜定めることによって、報知手段により、着脱充電端子の交換時期にきたことをユーザに対して報知することができる。
【００２０】
このとき、前記報知手段として、携帯端末機或いは外部のホスト装置に対し、カウント数が所定回数に達した旨を通信により通知する機能を設けるようにしても良い（請求項１１の発明）。これによれば、携帯端末機や外部のホスト装置においても、ユーザに対する交換時期の報知を行うことができ、報知を確実に行うことが可能となる。
【００２１】
また、上記した載置検出手段を、光センサを含んで構成することができる（請求項１２の発明）。これにより、載置凹部に携帯端末機が載置されたことを光センサによって確実に検出することができる。
【００２２】
或いは、載置凹部に携帯端末機が載置された状態で常に充電を行うものであれば、充電回数が載置回数にほぼ一致すると考えられるので、前記載置検出手段及び載置回数カウント手段を、携帯端末機に対して実行した充電回数をカウントすることをもって、載置回数のカウントとするように構成しても良い（請求項１３の発明）。これによれば、載置凹部に携帯端末機が載置されたことを直接的に検出する必要がなくなるので、そのためのセンサなどの構成が不要となる。
【００２３】
より具体的には、充電回数のカウントが、電流検知回路の検知に基づいて行われるように構成することができ（請求項１４の発明）、これにより、構成の簡単化を図ることができる。
【００２４】
さらには、前記所定回数をユーザが自在に設定するための設定手段を設けても良い（請求項１５の発明）。これにより、ユーザが、実際の使用状況（使用環境や使用頻度等）に応じた所定回数を設定することができ、実情に応じたより適切な交換時期を知らせることができるようになる。
【発明を実施するための最良の形態】
【００２５】
以下、本発明を具体化したいくつかの実施例について、図面を参照しながら説明する。
（１）第１の実施例
まず、図１ないし図５を参照して、本発明の第１の実施例（請求項１，２，３，５，１０，１３，１４に対応）について述べる。図４は、携帯端末機たるバーコードリーダ（バーコードハンディターミナル）１、及び、その充電を行うための本実施例に係る充電器２の外観を概略的に示している。
【００２６】
詳しく図示はしないが、そのうちバーコードリーダ１は、縦長な薄型矩形箱状をなしユーザが手で持って操作可能（携帯可能）とされたプラスチック製のケース３内に、バーコードや二次元コードを光学的に読取るための周知の読取機構、及び、マイコンを主体として構成され全体の制御やデコード処理等を行なう制御装置（いずれも図示せず）を組込んで構成されると共に、電源となる内蔵電池としての例えばリチウムイオン電池からなる二次電池４（図３参照）を備えている。そして、ケース３の背面側下部には、前記二次電池４に充電するための左右一対の受電端子５が設けられている。
【００２７】
これに対し、本実施例に係る充電器２は、プラスチック製の本体ケース６の上面側に、載置凹部７を有して構成されている。この載置凹部７は、上面から見てやや横長な矩形状をなすと共に、やや斜めに傾いて窪むような有底穴状に形成されており、前記バーコードリーダ１のケース３の下部が差込まれることにより、着脱自在に載置（セット）されるようになっている。
【００２８】
前記載置凹部７の内壁のうち背面側（図で右側壁面）の下部部分には、左右一対の充電端子（後述する着脱充電端子８）が設けられている。この着脱充電端子８は、例えば先端側が「く」字状に折曲げられたばね性を有する線材からなり、その先端側部分（山形に折曲げられた部分）が載置凹部７の内側に突出している。前記バーコードリーダ１が載置凹部７に載置された状態で、各着脱充電端子８が夫々受電端子５に弾性的に接触し、充電電力を供給するようになっている。着脱充電端子８部分の詳細については後述する。尚、本体ケース６の前面側には、バーコードリーダ１に対する充電中に点灯される例えばＬＥＤ等からなるランプ９が設けられている。
【００２９】
図３は、この充電器２の電気的構成を概略的に示している。ここで、充電器２には、図示しない商用電源に接続されるＡＣアダプタ１０が接続され、これと共に、充電器２の本体ケース６内に設けられた基板１１（図１参照）には、充電制御部１２、充電電流検知回路１３、制御装置１４等が設けられている。これにて、前記ＡＣアダプタ１０から供給される充電電力（所定電圧の直流）が、充電制御部１２を介して充電端子（後述する固定充電端子１５）ひいてはバーコードリーダ１の二次電池４に与えられるようになっている。その際、充電電流検知回路１３により充電電流が検知され、その検知信号が制御装置１４に入力されるようになっている。
【００３０】
前記制御装置１４は、ＣＰＵ、記憶装置等を有したマイコンから構成され、前記充電電流検知回路１３からの検知信号に基づいて、充電制御部１２に対して制御信号を出力し、充電を制御するようになっている。また、この制御装置１４は、前記ランプ９の点灯を制御するようになっていると共に、リセットスイッチ１６の操作信号が入力されるようになっている。更には、後述するように、この制御装置１４により、載置検出手段、載置回数カウント手段、報知手段などの機能が実現されるようになっている。
【００３１】
さて、前記着脱充電端子８部分の構造について、図１及び図２を参照しながら説明する。本実施例の充電器２においては、前記バーコードリーダ１の受電端子５に接触して充電電力を供給するための充電端子は、固定充電端子１５と着脱充電端子８とから構成されるようになっている。そして、そのうち固定充電端子１５は、本体ケース６内に固定的に設けられ、着脱充電端子８は、本体ケース６に設けられた端子収容部１７内に着脱可能に収容され、端子保持部材としてのプラスチック製の蓋部材１８により保持されるようになっている。尚、このとき、１個の端子収容部１７及び蓋部材１８に対して、左右一対の着脱充電端子８が設けられる。
【００３２】
即ち、図１に示すように、着脱充電端子８は、１本の金属線材（ばね線材）に曲げ加工を施してなるコイルばね部材から構成されている。具体的には、着脱充電端子８の基端側（図１で右側）は、逆く字状に折曲げられ固定充電端子１５に弾性的に接触する第１の接触端子部８ａとされており、先端側（図１で左側）が、く字状に折曲げられ前記受電端子５に弾性的に接触する第２の接触端子部８ｂとされており、それらの中間部に、上部において同径の円筒状に数回程度密着巻きされ、前記第１の接触端子部８ａと前記第２の接触端子部８ｂとに相手側に弾性的に接触する弾性力を発生するつる巻き部８ｃが形成されている。この場合、つる巻き部８ｃが他の部位よりも幅の広い拡幅部とされている。尚、この着脱充電端子８のうち少なくとも第２の接触端子部８ｂ部分は、金メッキが施されている。
【００３３】
これに対し、前記端子収容部１７は、本体ケース６のうちの載置凹部７の背面側（図で右側壁面）を構成する壁部を、奥方（図１で右側）に凹となるように矩形に窪ませた如き矩形穴状（前面が開口した矩形箱状）に構成された収容凹部から構成されている。この端子収容部１７内には、その底部から前方に延びて内部を上下に区画する仕切壁部１７ａが設けられており、その仕切壁部１７ａにより区画された上部側に、前記着脱充電端子８のつる巻き部８ｃが抜出し不能に収容されるようになっている。また、端子収容部１７の底部には、前記つる巻き部８ｃの前後方向（図で左右方向）のずれ動きを防止するための凸部１７ｂが一体に設けられている。
【００３４】
この端子収容部１７の底壁部（図１で右壁部）には、各着脱充電端子８の第１の接触端子部８ａの先端部（くの字の山の部分）が挿通される左右２個の縦長のスリット（図示せず）が形成されている。そして、端子収容部１７の底壁の外面側にはサブ基板１９が設けられ、このサブ基板１９の前面に、前記各スリットに対応して、前記固定充電端子１５が例えば印刷パターンにより設けられている。前記固定充電端子１５には、前記充電制御部１２（基板１１）からの充電電力が供給されることは勿論である。
【００３５】
一方、前記蓋部材１８は、図２にも示すように、前記端子収容部１７の前面開口部を塞ぐような矩形板状に構成されていると共に、各着脱充電端子８の第２の接触端子部８ｂの先端部（くの字の山の部分）を、載置凹部７内（前方）に突出させるための間隙部としての左右２個の縦長のスリット１８ａを有して構成されている。また、この蓋部材１８の裏面側には、図１に示すように、着脱充電端子８の先端８ｄの左右方向のずれを規制する複数個のガイド突部１８ｂが一体に設けられていると共に、前記凸部１７ｂとの間で前記つる巻き部８ｃの前後方向のずれ動きを防止する凸部１８ｃが一体に設けられている。
【００３６】
さらに、この蓋部材１８の上辺部には、上方に凸となり、端子収容部１７の開口部の上辺部分に設けられた差込凹部１７ｃに対し、下方から差込まれる左右２個の舌片部１８ｄが一体に設けられている。そして、本体ケース６には、端子収容部１７の開口部の下辺中央部の下側に位置して、蓋部材１８の下辺部を係止して閉塞状態にロックするためのスライドロック部材２０が上下方向に操作可能に設けられている。従って、蓋部材１８は、舌片部１８ｄを差込凹部１７ｃに差込み、スライドロック部材２０を上方に操作することにより、本体ケース６に取付けられ、もって端子収容部（収容凹部）１７の開口部を着脱可能に塞ぐようになっている。
【００３７】
この蓋部材１８の取付状態では、端子収容部１７内に収容された各着脱充電端子８のつる巻き部８ｃが、この端子収容部１７内の仕切壁部１７ａの上部側に前後方向の変位規制状態で収容されて抜出し不能に保持されるようになっている。このとき、各着脱充電端子８の第１の接触端子部８ａが、固定充電端子１５に弾性的に接触すると共に、第２の接触端子部８ｂが、スリット１８ａから前方（載置凹部７内）に突出して受電端子５に接触可能な状態とされ、着脱充電端子８により充電電力を供給することが可能となるのである。ユーザがスライドロック部材２０を下方に操作することにより、蓋部材１８の係止を解いて容易に取外すことができ、その取外し状態では、端子収容部１７の前面が開放し、着脱充電端子８を容易に取出せるようになっている。
【００３８】
そして、本実施例では、次の作用説明でも述べるように、前記制御装置１４は、そのソフトウエア的構成（制御プログラムの実行）によって、前記載置凹部７に対しバーコードリーダ１が載置されたことを検出し、その載置回数をカウントして不揮発性のメモリに記憶しておき、カウント数が所定回数（例えば１万回）に達したときにその旨を報知するようになっている。尚、前記所定回数とは、バーコードリーダ１の載置及び取外しが繰返えされることに伴い、着脱充電端子８（第２の接触端子部８ｂ）の磨耗が進行して金メッキがとれていき、劣化が進行する時期（接点不良が生ずる前の適切な交換時期）を判断する目安となるものであり、例えば実験的、経験的に求められ、予め設定されるようになっている。
【００３９】
このとき、本実施例では、載置凹部７に対しバーコードリーダ１が載置されたことを直接的に検出するのではなく、バーコードリーダ１に対して実行した充電回数をカウントすることをもって、載置回数のカウントとするようになっている。この充電回数のカウントは、充電電流検知回路１３の検知に基づいて行うことができる。また、本実施例では、カウント数が所定回数（例えば１万回）に達した旨の報知を、前記ランプ９を点滅させることにより行うようになっている。従って、制御装置１４及び充電電流検知回路１３から、載置検出手段及び載置回数カウント手段が構成され、制御装置１４及びランプ９から報知手段が構成されるようになっている。尚、前記リセットスイッチ１６が操作されることにより、上記充電回数（載置回数）のカウント数がクリアされるようになっている。
【００４０】
次に、上記構成の作用について、図５も参照して述べる。
上記構成の充電器２は、バーコードリーダ１の非使用時に定置しておく置き台として用いられる。このとき、バーコードリーダ１は、充電器２の載置凹部７に対しケース３の下部を差込むように載置（セット）され、その載置状態では、バーコードリーダ１の受電端子５に対し、着脱充電端子８（第２の接触端子部８ｂ）が自身のばね力により弾性的に接触し、充電電力の供給が行われる。この場合、バーコードリーダ１の二次電池４の満充電時以外は、常に充電が行われるようになっている。
【００４１】
ここで、上記したように、使用（バーコードリーダ１の載置及び取外し）が繰返えされることに伴い、着脱充電端子８の磨耗が進行し接点不良を招く虞がある。そこで、本実施例では、制御装置１４は、載置凹部７に対しバーコードリーダ１が載置された回数（ここでは充電回数）をカウントし、そのカウント数が所定回数（例えば１万回）に達したときに、着脱充電端子８を新しいものに交換すべき時期に来ているとして、ユーザに対して報知を行うようになっている。図５のフローチャートは、制御装置１４が実行する着脱充電端子８の交換時期の報知の処理手順を示している。
【００４２】
まず、ステップＳ１では、リセットスイッチ１６がオン操作されたかどうかが判断される。このリセットスイッチ１６は、後述する着脱充電端子８の交換作業が行われた後にユーザによりオン操作されるものであり、このリセットスイッチ１６がオン操作された場合には（ステップＳ１にてＹｅｓ）、ステップＳ２にて、不揮発性目も入りに記憶されているカウンタｎの値が０にクリアされる。リセットスイッチ１６が操作されない場合には（ステップＳ１にてＮｏ）、そのままステップＳ３に進む。
【００４３】
ステップＳ３では、バーコードリーダ１に対する充電がなされたか（開始されたか）どうかが判断される。この判断は、充電電流検知回路１３の検知に基づいて行うことができ、充電が検知されると（ステップＳ３にてＹｅｓ）、ステップＳ４にて、カウンタｎの値が１だけインクリメントされる。次のステップＳ５では、カウンタｎの値が所定回数（例えば１万回）以上となったかどうかが判断される。
【００４４】
そして、カウンタｎの値（充電回数）が所定回数以上となった場合には（ステップＳ５にてＹｅｓ）、ステップＳ６にて、着脱充電端子８の交換時期にきた旨の報知が行われる。この報知は、上記したように、ランプ９を点滅することにより行われる。ユーザは、そのランプ９の点滅を見ることにより、着脱充電端子８を新たなものに交換すべき時期にきたことを知ることができ、速やかに交換作業を行うことにより、接点不良の発生などの不具合を未然に防止することができる。また、ユーザは、交換作業後にリセットスイッチ１６をオン操作することにより、カウンタｎの値が０にクリアされるようになる。
【００４５】
さて、ユーザによる着脱充電端子８の交換作業は、次のようにして行われる。即ち、図１及び図２に示すように、まずユーザは、本体ケース６（端子収容部１７部分）から蓋部材１８を取外すようにする。この取外しは、スライドロック部材２０を下方に操作して蓋部材１８の下辺部の係止を解き、その上で、蓋部材１８を下方にスライドさせるようにして舌片部１８ｄを差込凹部１７ｃから抜出し、さらに着脱充電端子８の第２の接触端子部８ｂを、蓋部材１８のスリット１８ａから相対的に抜出すようにしながら、蓋部材１８を前方に取外すことにより行うことができる。
【００４６】
この蓋部材１８の取外し状態では、端子収容部１７の前面が開放し、着脱充電端子８の係止（保持）が解かれるので、着脱充電端子８を手前側に引出すことにより容易に取出すことができる。そして、ユーザは、古い着脱充電端子８を取出した後、新しい着脱充電端子８を端子収容部１７に収容するようにする。この着脱充電端子８の端子収容部１７内への収容作業は、端子収容部１７の底部のスリットに第１の接触端子部８ａの先端部を差込むように位置合せしながら、仕切壁部１７ａの上部側に、つる巻き部８ｃを収容することにより行われる。
【００４７】
この後、蓋部材１８を取付けることにより、交換作業が終了する。この蓋部材１８の取付けは、上記した取外しとは逆に、着脱充電端子８の第２の接触端子部８ｂを、蓋部材１８のスリット１８ａに相対的に挿通させるようにしながら、舌片部１８ｄを差込凹部１７ｃに差込み、スライドロック部材２０を上方に操作することにより行われる。これにて、新たな着脱充電端子８が端子収容部１７内に収容状態に保持（係止）されるようになり、バーコードリーダ１に対する充電が可能となるのである。
【００４８】
このように本実施例によれば、充電端子を、固定充電端子１５と着脱充電端子８とから構成すると共に、着脱充電端子８を、本体ケース６に設けられた端子収容部１７内に着脱可能に収容され、蓋部材１８により保持されるように構成したので、ユーザは、着脱充電端子８を端子収容部１７から容易に取外して交換することができる。従って、蓋部材１８の開閉によって着脱充電端子８の交換作業を簡易に行うことができ、しかも、着脱充電端子８のみを交換すれば良いので、安価に済ませることができるという優れた効果を得ることができる。
【００４９】
また、特に本実施例では、蓋部材１８により着脱充電端子８が保持されるので、端子保持部材としての構成を簡単に済ませることができると共に、着脱充電端子８を、第１，第２の接触端子部８ａ，８ｂ間に拡幅部としてのつる巻き部８ｃを有したねじりコイルばね部材から構成したので、自身のばね力を利用して、固定充電端子１５及び受電端子５に弾性的に接触させることが可能となり、着脱充電端子８の構成も簡単に済ませることができ、比較的安価に済ませることができる。
【００５０】
そして、本実施例では、制御装置１４が、載置凹部７に対するバーコードリーダ１の載置の検出及びその載置回数のカウントに基づいて、載置回数が所定回数に至ったことを報知する構成としたので、ユーザが着脱充電端子８の劣化に伴う交換時期にきたことを容易に知ることができ、ひいては、接点不良の発生を未然に防止することができる。しかも、充電回数のカウントをもって載置回数のカウントとする構成としたので、載置凹部７に対するバーコードリーダ１の載置の検出のための構成を簡単に済ませることができるといった利点も得ることができる。
【００５１】
（２）第２の実施例
次に、図６及び図７を参照しながら、本発明の第２の実施例（請求項２、４、５に対応）について述べる。尚、以下に述べる各実施例においては、携帯端末機としてのバーコードリーダ１の構成や、充電器２の基本的構成（充電端子部分以外の構成）は、上記第１の実施例と共通するので、上記第１の実施例と共通する部分については、同一符号を付して新たな図示や詳しい説明を省略し、以下、異なる点についてのみ説明する。
【００５２】
この第２の実施例においては、着脱充電端子２１の構成が、上記第１の実施例の着脱充電端子８と異なっている。この着脱充電端子２１は、板ばね材からなる１枚の金属板を、細い帯状に打抜くと共に曲げ加工を施してなる板ばね部材から構成されている。このとき、着脱充電端子２１の基端側は、逆く字状に折曲げられ固定充電端子１５に弾性的に接触する第１の接触端子部２１ａとされ、先端側が、く字状に折曲げられ受電端子５に弾性的に接触する第２の接触端子部２１ｂとされており、それら第１の接触端子部２１ａと第２の接触端子部２１ｂとを接続する中間部が、前記第１の接触端子部２１ａと第２の接触端子部２１ｂと弾性的に接触する弾性力を発生する板ばねを形成している。
【００５３】
そして、それら第１、第２の接触端子部２１ａ、２１ｂを上部で湾曲状につなぐような中間部が、それら第１、第２の接触端子部２１ａ、２１ｂよりもやや幅広く構成された拡幅部２１ｃとされている。また、着脱充電端子２１の先端２１ｄ（第２の接触端子部２１ｂの更に先端側）は、第２の接触端子部２１ｂから下方に折曲げられており、この先端部２１ｄも前記拡幅部２１ｃと同様にやや幅広に構成されている。この着脱充電端子２１のうち少なくとも第２の接触端子部２１ｂ部分の表面は、金メッキが施されている。
【００５４】
この着脱充電端子２１は、本体ケース６に設けられた端子収容部１７内に着脱可能に収容され、端子保持部材としてのプラスチック製の蓋部材２２により保持されるようになっている。このとき、図示はしないが、端子収容部１７の底壁部には、着脱充電端子２１の第１の接触端子部２１ａの先端部（くの字の山の部分）が挿通される縦長のスリットが第１の接触端子部２１ａの幅に合わせて形成されている。端子収容部１７の底壁の外面側には、第１の接触端子部２１ａが弾性的に接触する固定充電端子１５を有したサブ基板１９が設けられている。
【００５５】
前記蓋部材２２は、やはり、端子収容部１７の前面開口部を塞ぐような矩形板状に構成されていると共に、着脱充電端子２１の第２の接触端子部２１ｂの先端部（くの字の山の部分）を、載置凹部７内（前方）に突出させるための間隙部としての左右２個の縦長のスリット２２ａを有して構成されている。このスリット２２ａは、第２の接触端子部２１ｂの幅よりも広く、且つ、前記拡幅部２１ｃ及び先端２１ｄの幅よりも狭い幅で形成されている。
【００５６】
また、この蓋部材２２の裏面側には、着脱充電端子２１の先端２１ｄの左右方向のずれを規制する複数個のガイド突部２２ｂが一体に設けられていると共に、この蓋部材２２の上辺部には、左右２個の舌片部２２ｃが一体に設けられている。上記と同様に、蓋部材２２は、舌片部２２ｃを差込凹部１７ｃに差込み、スライドロック部材２０を上方に操作することにより、本体ケース６に取付けられ、もって端子収容部（収容凹部）１７の開口部を着脱可能に塞ぐようになっている。
【００５７】
この蓋部材２２の取付状態では、端子収容部１７内に収容された着脱充電端子２２の拡幅部２２ｃが、仕切壁部１７ａの上部側に前後方向の変位規制状態で収容されて抜出し不能に保持（係止）され、このとき、第２の接触端子部２１ｂが、スリット２２ａから前方（載置凹部７内）に突出して受電端子５に接触可能な状態とされ、充電電力を供給することが可能となるのである。ユーザがスライドロック部材２０を下方に操作することにより、蓋部材２２の係止を解いて容易に取外すことができ、その取外し状態では、端子収容部１７の前面が開放し、着脱充電端子２１を容易に取出せるようになっている。
【００５８】
従って、この第２の実施例によっても、蓋部材２２の開閉によって着脱充電端子２１の交換作業を簡易に行うことができ、しかも、着脱充電端子２１のみを交換すれば良いので、安価に済ませることができるという優れた効果を得ることができる。また、端子保持部材としての蓋部材２２の構成を簡単に済ませることができると共に、着脱充電端子２１の構成も簡単に済ませることができ、比較的安価に済ませることができる。
【００５９】
（３）第３、第４の実施例
図８ないし図１０は、本発明の第３の実施例（請求項３、６、７に対応）を示している。この第３の実施例では、本体ケース６に設けられ着脱充電端子８（ねじりコイルばね部材）が収容される端子収容部が、嵌合凹部３１から構成され、着脱充電端子８を保持する端子保持部材がプラスチック製の端子ケース３２として構成されている。図８及び図９に示すように、前記嵌合凹部３１は、本体ケース６に四角形の穴を形成し、その奥部に、固定充電端子１５を有するサブ基板１９を配設してなり、従って、凹状に形成された嵌合凹部３１の底部に固定充電端子１５が配置されることになる。
【００６０】
前記端子ケース３２は、図１０にも示すように、全体として、前記嵌合凹部３１に着脱可能に嵌合する矩形箱状に構成され、その内部に、上記第１の実施例と同様の着脱充電端子８が収容、保持されるようになっている。この端子ケース３２は、前後（図１０で左右）に２分割された前部分割ケース３３と後部分割ケース３４とを、結合及び分離可能に突合わせて構成されている。
【００６１】
前記後部分割ケース３４の後壁部（図１０で右壁部）には、各着脱充電端子８の第１の接触端子部８ａの先端部が挿通され固定充電端子１５に弾性的に接触させるための左右２個の縦長のスリット３４ａが形成されている。そして、後部分割ケース３４内には、その後壁部から前方に延びて内部を上下に区画する仕切壁部３４ｂが設けられており、その仕切壁部３４ｂにより区画された上部側に、着脱充電端子８のつる巻き部８ｃが収容されるようになっている。また、仕切壁部３４ｂの上側には、前記つる巻き部８ｃの前後方向（図で左右方向）のずれ動きを防止するための凸部３４ｃが一体に設けられている。
【００６２】
一方、前記前部分割ケース３３には、前壁部に位置して、各着脱充電端子８の第２の接触端子部８ｂの先端部（くの字の山の部分）を、前方に突出させるための間隙部としての左右２個の縦長のスリット３３ａが形成されている。また、この前壁部の裏面側には、着脱充電端子８の先端８ｄの左右方向のずれを規制する複数個のガイド突部３３ｂや、前記凸部３４ｃとの間で前記つる巻き部８ｃの前後方向のずれ動きを防止する凸部３３ｃが一体に設けられている。尚、前部分割ケース３３と後部分割ケース３４との結合は、それらの突合せ部分に形成された爪と凹との係合によりなされるようになっている。
【００６３】
これにて、前部分割ケース３３と分離された後部分割ケース３４に対し、その仕切壁部３４ｂの上部側空間に着脱充電端子８のつる巻き部８ｃを収容し、その状態で、後部分割ケース３４に前部分割ケース３３を結合させることにより、端子ケース３２に着脱充電端子８のつる巻き部８ｃが抜出し不能に保持されるようになっている。このとき、着脱充電端子８の第１の接触端子部８ａが、スリット３４ａから後方に突出し、第２の接触端子部８ｂが、スリット３３ａから前方に突出した状態となる。
【００６４】
そして、このように着脱充電端子８を保持した端子ケース３２は、図８に示すように、嵌合凹部３１に着脱可能に嵌合される。このとき、前部分割ケース３３に一体に形成された左右２個の舌片部３３ｄを、嵌合凹部３１の開口部の上辺部分に設けられた差込凹部３１ａに対し下方から差込むと共に、スライドロック部材２０を上方に操作することにより、端子ケース３２が本体ケース６に取付けられるようになっている。
【００６５】
この取付状態では、各着脱充電端子８の第１の接触端子部８ａが、固定充電端子１５に弾性的に接触すると共に、第２の接触端子部８ｂが、前方（載置凹部７内）に突出して受電端子５に接触可能な状態とされ、着脱充電端子８により充電電力を供給することが可能となるのである。そして、ユーザがスライドロック部材２０を下方に操作することにより、端子ケース３２を嵌合凹部３１から容易に取外すことができ、その取外し状態で、分割ケース３３，３４を分離させることによって、着脱充電端子８を容易に交換することができるようになっている。
【００６６】
これによれば、端子収容部としての嵌合凹部３１及び端子保持部材としての端子ケース３２の構成を比較的簡単に済ませることができると共に、端子ケース３２を一旦本体ケース６から取外した状態で着脱充電端子８の交換を行えば良いので、ユーザによる着脱充電端子８の交換作業の作業性が向上する。
【００６７】
図１１及び図１２は、本発明の第４の実施例（請求項８に対応）を示している。この第４の実施例が上記第３の実施例と異なるところは、端子収容部としての嵌合凹部４１、及び、ねじりコイルばね部材からなる着脱充電端子８を保持する端子保持部材としてのプラスチック製の端子ケース４２の構成にある。前記嵌合凹部４１は、本体ケース６に縦長の（幅の狭い）四角形の穴を形成し、その奥部に、固定充電端子１５を有するサブ基板１９を配設して構成されている。
【００６８】
これに対し、前記端子ケース４２は、嵌合凹部４１に応じた幅の矩形箱状をなし、この場合、左右の側面部が開口している。そして、端子ケース４２内の左右方向中間部には、縦方向に延び内部を左右に区画する仕切り壁部４２ａが設けられ、その仕切り壁部４２ａの上部部分に、左右方向に凸となるシャフト部４２ｂが一体に形成されている。このシャフト部４２ｂは、着脱充電端子８のつる巻き部８ｃの内径に対応しており、つる巻き部８ｃが嵌挿されるようになっている。
【００６９】
この端子ケース４２の後壁部には、各着脱充電端子８の第１の接触端子部８ａの先端部が挿通され固定充電端子１５に弾性的に接触させるための左右２個の縦長のスリット４２ｃが形成されている。この端子ケース４２の前壁部の左右の縁部には、中間部に位置して縦長（細幅）の切欠きが形成されており、この切欠きと、前記嵌合凹部４１の開口部の左右の内側縁部との間で、各着脱充電端子８の第２の接触端子部８ｂの先端部を前方に突出させるための間隙部４３が形成されるようになっている。尚、端子ケース４２内には、着脱充電端子８の先端８ｄの左右方向のずれを規制する複数個のガイド突部４２ｄが設けられている。
【００７０】
この構成においては、端子ケース４２を嵌合凹部４１から取外した状態で、その左右の側面開口部から、着脱充電端子８の第１の接触端子部８ａをスリット４２ｃに通すようにしながら、そのつる巻き部８ｃをシャフト部４２ｂに嵌挿させることにより、着脱充電端子８を端子ケース４２に収容、保持させることができる。この端子ケース４２は、左右２個の舌片部４２ｅを、嵌合凹部４１の開口部の上辺部分に設けられた差込凹部４１ａに対し下方から差込むと共に、スライドロック部材２０を上方に操作することにより、本体ケース６の嵌合凹部４１に着脱可能に取付けられる。
【００７１】
この取付状態では、各着脱充電端子８の第１の接触端子部８ａが、固定充電端子１５に弾性的に接触すると共に、第２の接触端子部８ｂが、間隙部４３を通して前方（載置凹部７内）に突出して受電端子５に接触可能な状態とされる。そして、ユーザがスライドロック部材２０を下方に操作することにより、端子ケース４２を嵌合凹部４１から容易に取外すことができ、その取外し状態で、端子ケース４２に保持された着脱充電端子８を、側面開口部から容易に取出すことができる。
【００７２】
従って、この第４の実施例によっても、端子収容部としての嵌合凹部４１及び端子保持部材としての端子ケース４２の構成を比較的簡単に済ませることができると共に、端子ケース４２を一旦本体ケース６から取外した状態で着脱充電端子８を交換することができ、しかもその交換作業をより一層容易にすることができるものである。
【００７３】
（４）第５の実施例、その他の実施例
図１３及び図１４は、本発明の第５の実施例（請求項９に対応）を示している。この第５の実施例では、バーコードリーダ１の受電端子５に対し接触して充電電力を供給する充電端子として、次のような構成の着脱充電端子５１を採用するようにしている。即ち、この着脱充電端子５１は、先端（図１３で左端）側が開口した細径の筒状をなす金属製のホルダ５２と、このホルダ５２の先端側に出没方向に移動可能に収容された接触端子部５３と、ホルダ５２内に収容され接触端子部５３を該ホルダ５２の先端開口部から突出させる状態に付勢するコイルばね５４とを備えて構成される、いわゆるスプリング内蔵端子からなる。ホルダ５２の基端側部分には、やや径小となったくびれ部５２ａが形成されている。尚、この種のスプリング内蔵端子は、例えばＩＣカード用の接触端子（プローブ端子）等に用いられている。
【００７４】
そして、上記着脱充電端子５１は、本体ケース６に形成された円形の穴部５５を通して、挿入、抜出し可能に保持されるようになっている。このとき、本体ケース６の内面（裏面）側には、固定充電端子１５を有したサブ基板１９が配設されており、このサブ基板１９に、前記着脱充電端子５１を保持するための金属製板ばねからなる固定用ばね５６が設けられている。この固定用ばね５６は、固定充電端子１５に電気的に接続され、その先端部が、ホルダ５２のくびれ部５２ａ上下から挟むように圧接することにより、着脱充電端子５１を挿入、抜出し可能に保持すると共に、電気的に接続されて充電電力を供給するようになっている。
【００７５】
この第５の実施例によれば、着脱充電端子５１を、本体ケース６の穴部５５に対する挿入、抜出しを行うことにより、本体ケース６に対し容易に着脱することができ、ユーザがその交換を簡易に行うことができる、しかも着脱充電端子５１のみを交換することができるので、安価に済ませることができる。
【００７６】
尚、本発明は上記した各実施例に限定されるものではなく、以下のような拡張、変更が可能である。即ち、上記実施例では、バーコードリーダ１が載置凹部７に載置されたことの検出を、充電電流検出回路１３の検出に基づいて行うようにしたが、載置検出手段として、本体ケース６部分（例えば充電端子８のやや上方部分）に例えば反射型の光センサを設け、バーコードリーダ１の載置を直接的に検出するようにしても良い。これにより、載置凹部７に携帯端末機が載置されたことを確実に検出することができる。この場合、載置検出手段としては、マイクロスイッチやリードスイッチなど他のセンサ（スイッチ）を採用することも可能である。
【００７７】
また、上記実施例では、着脱充電端子８の交換を促す報知を、ランプ９の点滅により行うようにしたが、報知手段としては、ブザー等の音声による報知や、ディスプレイに文字表示するなどの方法を採用することもできる。そして、そのような充電器自体における報知に代えて（或いはそれに加えて）、報知手段として、携帯端末機或いは外部のホスト装置に対し、カウント数が所定回数に達した旨を通信により通知する機能を設けるようにしても良い。これによれば、携帯端末機や外部のホスト装置においても、ユーザに対する交換時期の報知を行うことができ、報知をより確実に行うことができる。
【００７８】
さらには、上記実施例では、報知を行う（交換時期と判断する）ための所定回数を例えば１万回に予め固定しておくようにしたが、所定回数をユーザが設定するための設定手段を設け、ユーザのキー操作により、所定回数を自在に設定できるように構成しても良い。これにより、ユーザが、実際の使用状況（使用環境や使用頻度等）に応じた所定回数を設定することができ、実情に応じたより適切な交換時期を知らせることが可能となる。
【００７９】
上記実施例では、ユーザが着脱充電端子の交換後にリセットスイッチ１６をオン操作してカウント数をクリアするようにしたが、例えば蓋部材或いは端子ケースの本体ケースへの着脱（開閉）を検知するスイッチを設けて、このスイッチの検出に基づいてカウント数をリセットするように構成することもできる。蓋部材や端子ケースを本体ケースに着脱可能に取付けるための構造としても、スライドロック部材を設けるものに限らず、様々な変形が可能である。
【００８０】
その他、充電器の形状についても、上面に横長に形成された載置凹部に携帯端末機を横置き状に載置するタイプのものであっても良く、また、上記第２の実施例で説明した板ばね部材からなる着脱充電端子を、上記第３、第４の実施例のような端子ケースに適用するようにしても良く、さらには、本発明はバーコードリーダに限らず、携帯電話機等の充電して使用する携帯端末機全般に適用することができる等、要旨を逸脱しない範囲内で適宜変更して実施し得るものである。
【図面の簡単な説明】
【００８１】
【図１】本発明の第１の実施例を示すもので、充電端子部分の縦断側面図
【図２】充電端子部分の正面図
【図３】充電器の電気的構成を概略的に示すブロック図
【図４】充電器及びバーコードリーダを示す縦断側面図
【図５】着脱充電端子の交換時期の報知の処理手順を示すフローチャート
【図６】本発明の第２の実施例を示す図１相当図
【図７】図２相当図
【図８】本発明の第３の実施例を示す図１相当図
【図９】図２相当図
【図１０】分割ケースの結合（ａ）及び分離（ｂ）状態における縦断側面図
【図１１】本発明の第４の実施例を示す図１相当図
【図１２】図２相当図
【図１３】本発明の第５の実施例を示す図１相当図
【図１４】図２相当図
【符号の説明】
【００８２】
図面中、１はバーコードリーダ（携帯端末機）、２は充電器、４は二次電池（内蔵電池）、５は受電端子、６は本体ケース、７は載置凹部、８，２１は着脱充電端子、８ａ、２１ａは第１の接触端子部、８ｂ、２１ｂは第２の接触端子部、８ｃはつる巻き部（拡幅部）、９はランプ、１３は充電電流検知回路、１４は制御装置、１５は固定充電端子、１７は端子収容部、１８、２２は蓋部材（端子保持部材）、１８ａ，２２ａ，３３ａはスリット（間隙部）、２１は着脱充電端子、２１ｃは拡幅部、３１，４１は嵌合凹部、３２，４２は端子ケース、３３，３４は分割ケース、４３は間隙部、５１は着脱充電端子、５２はホルダ、５３は接触端子部、５４はばね、５５は穴部を示す。
【図１】
2006345670.tif 000003
【図２】
2006345670.tif 000004
【図３】
2006345670.tif 000005
【図４】
2006345670.tif 000006
【図５】
2006345670.tif 000007
【図６】
2006345670.tif 000008
【図７】
2006345670.tif 000009
【図８】
2006345670.tif 000010
【図９】
2006345670.tif 000011
【図１０】
2006345670.tif 000012
【図１１】
2006345670.tif 000013
【図１２】
2006345670.tif 000014
【図１３】
2006345670.tif 000015
【図１４】
2006345670.tif 000016